【事件の表示】
　特願２００７−３１１１４４「表示制御装置及び表示制御方法」拒絶査定不服審判事件〔平成２０年　６月１９日出願公開、特開２００８−１４０３９４〕について、次のとおり審決する。
【結　論】
　本件審判の請求は、成り立たない。
【理　由】
　
１．手続の経緯  
　  
　本願は、平成８年５月２１日に出願した特願平８−１４９９３３号の一部を平成１９年１１月３０日に新たな特許出願としたものであって、平成２０年１０月１４日付けで拒絶査定がなされ、これに対し、平成２０年１１月２０日に拒絶査定不服審判の請求がなされるとともに、平成２０年１２月２２日付けで手続補正がなされたものである。
　  
　  
　  
２．本願発明の認定  
　  
　本願の請求項１に係る発明（以下、「本願発明」という。）は、平成２０年１２月２２日付けの手続補正書の記載からみて、特許請求の範囲の請求項１に記載されている、次のとおりのものである。
　  
「　【請求項１】
　音楽データと、前記音楽データのアルバムジャケットの画像データ、前記音楽データのアルバムタイトル情報、アーチスト名情報、及び曲名情報とが含まれる付随情報とを対応付けて記憶媒体に記録する記録手段と、
　音楽データを再生する再生手段と、
　複数の前記音楽データにそれぞれ対応する複数のイメージと、前記イメージと対応する少なくとも一部の付随情報と、アルバムタイトル、アーチスト名、及び曲名の項目を備える表示情報とを前記表示手段に表示させ、選択された項目と前記付随情報とに基づいて、複数の前記イメージをソートして前記表示手段に表示させ、前記複数のイメージうち一のイメージに対する選択操作に基づいて、前記一のイメージに対応する画像データを露呈させ、前記露呈された画像データに対する操作入力に基づいて、前記露呈された画像データに対応する音楽データを前記再生手段に再生させる制御手段と
を備える制御装置。」  
　  
　  
　  
３．引用例の認定  
　  
　原査定の拒絶の理由に引用文献１として引用された、特開平３−１３４８８３号公報（以下、「引用例」という）には、図面と共に以下の技術事項が記載されている。  
　  
（ア）  
「Ａ　産業上の利用分野  
　この発明は画像検索装置に関する。」  
　　　　　　　　　　　　　　　　　　　（第１頁右欄第１４乃至１５行）
　  
（イ）  
「Ｂ　発明の概要  
　この発明は、画像検索装置において、文字・記号などを静止画や動画のキーワードとすることにより、例えば音楽の曲名からその曲に関係する静止画や動画を表示できるようにしたものである。」  
　　　　　　　　　　　　（第１頁右欄第１６行から第２頁左上欄第３行）
　  
（ウ）  
「Ｃ　従来の技術  
　静止画や音声の場合には、その信号をデジタル化しても、データの量はそれほど多くないので、それらのデータをＣＤ−ＲＯＭやハードディスクにストアしておき、必要なとき検索して取り出すことができる。」  
　　　　　　　　　　　　　　　　　　　　（第２頁左上欄第４乃至９行）
　  
（エ）  
「Ｄ　発明が解決しようとする課題  
　ところが、動画の場合には、その情報量が非常に多いので、動画のデータをコンピュータの内部にストアして利用することは困難である。  
　このため、動画のデータは、レーザーディスクやビデオテープなど外部の記憶媒体に記憶して使用せざるをえない。  
　この発明は、そのような静止画や動画を自由に検索して取り出すことができるようにしようとするものである。」  
　　　　　　　　　　　　（第２頁左上欄第１０行から同頁右上欄第１行）
　  
（オ）  
「Ｇ　実施例  
　以下に述べる例においては、対象とするデータが、ＣＤのアルバム名、その歌手名、及びそのＣＤに収録されている曲名であり、これらのデータがＣＤ−ＲＯＭに書き込まれている場合である。また、動画を記憶しているメディア及びその再生装置が、レーザーディスク及びレーザーディスクプレーヤの場合である。」  
　　　　　　　　　　　　　　　　　　　（第２頁左下欄第４乃至１１行）
　  
（カ）  
「第１図において、（１０）はＣＰＵ、（１１）は各種のプログラムが書き込まれているＲＯＭ、（１２）はワークエリア用のＲＡＭ、（１３）はハードディスク装置、（１４）はハードディスクコントローラを示し、ハードディスク装置（１３）には、例えば第２図に示すフローチャートの画像検索ルーチン（４０）がインストールされている。  
　また、（１５）はＣＤ−ＲＯＭプレーヤ、（１６）は例えばＳＣＳＩ規格のＣＤ−ＲＯＭ用インターフェイス、（１７）はＣＤ−ＲＯＭ（またはＣＤＩ）、（１８）はマウス、（１９）はマウス用インターフェイスである。」  
　　　　　　　　　　　　（第２頁左下欄第１２行から同頁右下欄第３行）
　  
（キ）  
「この場合、ＣＤ−ＲＯＭ（１７）は、プレーヤ（１８）及びインターフェイス（１６）を通じて読み出し（再生）が行われるが、このＣＤ−ＲＯＭ（１７）には、リスト情報として、例えば第３図に示すようなデータテーブルＮＡＲＴ、ＡＬＢＭ、ＴＩＴＬ、ＮＡＳＴ、ＡＬＳＴ（詳細は後述する）などが書き込まれているとともに、いくつかの曲のデジタルオーディオデータＤａと、ＣＤのジャケットを静止画として撮像したときのデジタル画像データＤｓとが記録されている。  
　ただし、このデータＤａ及びＤｓとして記録されている曲及びジャケットの数は、ＣＤ−ＲＯＭ（１７）の容量（最大で５４０Ｍバイト）で決まり、ＣＤ−ＲＯＭ（１７）が対象としている音楽データのすべてについて、対応するデータＤａ、ＤＳが記録されているわけではない。」  
　　　　　　　　　　　　　　　　　　　（第２頁右下欄第４乃至１８行）
　  
（ク）  
「さらに、（２１）はフルキーボード、（２２）はキーボード用インターフェイス、（２４）はＤ／Ａコンパー夕、（２５）はステレオアンプ、（２６）はスピーカであり、所定のモードのとき、ＣＤ−ＲＯＭ（１９）からのオーディオデータＤａがスイッチ回路（２３）を通じてコンバータ（２４）に供給される。」  
　　　　　　　　　　　（第２頁右下欄第１９行から第３頁左上欄第４行）
　  
（ケ）  
「また、テーブルＮＡＲＴ〜ＡＬＳＴは、例えば、次のようなものである。すなわち、テーブルＮＡＲＴは、歌手（演奏家）の名前Ｎｉと、その歌手ごとに割り当てられた固有の歌手コードｎｉとの歌手名テーブルであり、例えば、歌手「渡辺満里奈」に歌手コードｎｉとして「１２３」が割り当てられている。  
　さらに、テーブルＡＬＢＭは、アルバムの名前（ＣＤの名前）Ａｊと、そのアルバムのＣＤ番号Ｃｊと、そのアルバムの発売日Ｂｊと、そのアルバムごとに割り当てられた固有のアルバムコードａｊとを有するテーブルであり、例えば、アルバム「ＭＡＲＩＮＡ」のＣＤ番号及び発売日が「３２・８Ｈ１０５」及び「１９８７年２月２６日」であり、このアルバムにアルバムコードａｊとして「２３４」が割り当てられている。  
　さらに、テーブルＴＩＴＬは、曲の名前Ｔｋと、その曲ごとに割り当てられた固有の曲コードｔｋとの曲名テーブルであり、例えば、曲「ホリディ・ビジター」に曲コードｔｋとして「３４５６」が割り当てられている。  
　また、テーブルＮＡＳＴは、歌手ごとに用意されている歌手別検索用テーブルであり、その歌手Ｎｉの出しているアルバムＡｊのアルバムコードａｊと、ジャケットアドレスＪｊとのテーブルである。図の例においては、ｎ　ｉ＝１２３である「渡辺満里奈」のテーブルＮＡＳＴ（ｎｉ＝１２３）の場合である。  
　そして、このテーブルＮＡＳＴにおいて、Ｊｊ≠０ときには、そのコードａｊの割り当てられているアルバムＡｊのジャケットの静止画のデジタル画像データＤｓが、ＣＤ−ＲＯＭ（１７）に記録されているとともに、そのアドレスがＪｊであることを示し、Ｊｊ＝０のときには、そのような記録のないことを示す。  
　さらに、テーブルＡＬＳＴは、アルバムごとに用意されているアルバム別検索用テーブルであり、そのアルバムＡｊに収録されている曲Ｔｋの曲名コードｔｋと、デジタルオーディオデータＤａのアドレスＳｋと、ビデオ信号ＳｙのアドレスＶｋとを有するテーブルである。図の例においては、ａｊ＝２３４であるアルバム「ＭＡＲＩＮＡ」のテーブルＡＬＳＴ（ａｊ＝２３４）の場合である。  
　そして、このテーブルＡＬＳＴにおいて、Ｓｋ≠０のときには、そのコードｔｋの割り当てられている曲ＴｋのデジタルオーディオデータＤａが、ＣＤ−ＲＯＭ（１７）に記録されているとともに、そのアドレスがＳｋであることを示し、Ｓｋ＝０のときには、そのような記録のないことを示す。また、アドレスＶｋも同様で、Ｖｋ≠０のときには、そのコードｔｋの割り当てられている曲Ｔｋのビデオ信号Ｓｙ及びデジタルオーディオ信号Ｓａがレーザーディスク（３８）に記録されているとともに、そのアドレスがＶｋであることを示し、Ｖｋ＝０のときには、そのような記録のないことを示す。  
　なお、以上のテーブルＮＡＲＴ〜ＡＬＳＴ以外にも検索に必要な各種のテーブルがＣＤ−ＲＯＭ（１７）に記録されているが、ここでは説明を省略する。また、これらテーブルＮＡＳＴ〜ＡＬＳＴのデータ量は、レコード会社の１社分を集めてもＣＤ−ＲＯＭ（１７）の全容量の１％程度である。  
　したがって、ＣＤ−ＲＯＭ（１７）の容量のほぼ全部を、曲ＴｋのデジタルオーディオデータＤａあるいはＣＤのジャケットの静止画のデジタル画像データＤｓに割り当てることができる。そして、データＤａと、データＤｓとに対してどのような比率で割り当てるかは、任意である。」  
　　　　　　　　　　（第３頁右上欄第１２行から第４頁左上欄第１６行）
　  
（コ）  
「そして、データの検索は、ＣＰＵ（１０）がルーチン（４０）を実行することにより、次のように行われる。なお、以下の説明においては、検索項目が「歌手名」であり、そのキーワードが「渡辺満里奈」の場合である。  
　　　　　　　　　　　・・・（中略）・・・  
　この初期画面には、「歌手名」、「アルバム名」など検索の対象となる項目名などが表示され、このステップ（４３）において、どの項目で検索を行うかなどの指示待ちとなる。  
　そこで、マウス（１８）により検索項目として「歌手名」のアイコンをクリックすると、処理はステップ（４３）からステップ（４４）に進み、このステップ（４４〉においてキーワードの入力待ちとなり、ここで、キーボード（２１）からキーワードとして「渡辺満里奈」を入力すると、処理はステップ（４４）がらステップ（４５）に進む。  
　そして、このステップ（４５）においては、次のようなテーブル処理が行われる。  
　　　　　　　　　　　・・・（中略）・・・  
　以上の処理が行われると、処理はステップ（４５）からステップ（４６）に進み、このステップ（４６）において、ステップ（４５）で取り出されたデータにしたがった表示データが形成されてＲＡＭ（３１）に供給される。」  
　　　　　　　　　　　　（第４頁右上欄第５行から第５頁左上欄第４行）
　  
（サ）  
「したがって、表示装置（３４）には、ステップ（４５）において取り出されたデータにしたがって例えば第４図Ａに示すように、「渡辺満里奈」のアルバム「ＭＡＲＩＮＡ」のＣＤ番号及び発売日と、このアルバムに収録されている曲の曲名が、リスト形式で表示される。  
　また、このとき、ステップ（４５）において取り出されたアドレスＪｊ、Ｓｋ、ＶｋにしたがってインデックスマークＭｉが、同時に表示される。すなわち、Ｊｊ≠０のときには、そのＣＤのジャケットの静止画の画像データＤｓが、ＣＤ−ＲＯＭ（１７）のアドレスＪｊに記録されているので、この記録があることを示すために、同図Ａに示すように、表示画面の一部にインデックスマークＭｉとして「ジャケット」の文字が表示され、Ｊｊ＝０のときには表示されない。  
　さらに、Ｓｋ≠０のときには、対応する曲のデジタルオーディオデータＤａが、ＣＤ−ＲＯＭ（１７）のアドレスＳｋに記録されているので、この記録があることを示すために、同図Ａに示すように、対応する曲の曲名の例えば前に、インデックスマークＭｉとして「音符」マークが表示され、Ｓｋ＝０のときには表示されない。」  
　　　　　　　　　　　　　（第５頁左上欄第５行から同頁右上欄第７行）
　  
（シ）  
「なお、同図Ａの場合には、このアルバム「ＭＡＲＩＮＡ」のジャケットの静止画の画像データＤｓがあり、第１番目の曲「ホリディ・ビジター」についてＣＤ−ＲＯＭ（１７）にデジタルオーディオデータＤａがあるとともに、第３番目の曲「裸のクレヨン」についてレーザーディスク（３８）に動画及びその音声があることを示している。  
　さらに、表示画面の下には、「前」、「次」、「再度」、「終了」の文字Ｍｃが表示される。  
そして、以上のような表示が行われると、処理はステップ（４６）からステップ（４７）に進み、このステップ（４７）において、マウス（１８）による入力待ちとなる。」  
　　　　　　　　　　　　（第５頁右上欄第１５行から同頁左下欄第７行）
　  
（ス）  
「したがって、第４図Ａに示す表示状態のとき、マークＭｉのうちの「音符」マークをマウス（１８）で指定すると、その「音符」マークの付けられている曲名の曲がＣＤ−ＲＯＭ（１７）から再生される。また、このとき、表示装置（３４）には、同図への画像がそのまま表示されている。」  
　　　　　　　　　　　　　　　　　　（第５頁右下欄第１４乃至１９行）
　 
（セ）  
「したがって、第４図Ａに示す表示状態のとき、マークＭｉのうちの「ジャケット」のマークをマウス（１８）で指定すると、同図Ｃに示すように、そのＣＤのジャケットの静止画が表示される。また、このとき、ＣＤ−ＲＯＭ（１７）あるいはレーザーディスク（３８）の再生が行われていれば、その音声については再生が続行される。」  
　　　　　　　　　　　（第６頁右下欄第２０行から第７頁左上欄第６行）
　  
（ソ）  
「さらに、ステップ（４７）においてマウス（１８）による入力待ちとなっているとき、マウス（１８）によりマークＭｃのうちの「次」のマークをクリックすると、処理はステップ（４７）からステップ（５０）に進み、このステップ（５０）においてクリックされた文字あるいは記号がどれであるかが判別され、今の場合は、「次」のマークなので、処理はステップ（５０）からステップ（８１）に進む。  
　そして、このステップ（８１）において、今の場合、テーブルＮＡＳＴのうちのテーブルＮＡＳＴ（Ｎｉ＝１２３）が選択されているとともに、このテーブルのうちのａｊ＝２３４のアルバムについて第４図Ａに示すように、表示が行われていたので、アルバムコードａｊはａｊ＝２３４から次のａｊ＝４２３にインクリメントされ、続いて処理はステップ（８１）からステップ（４５）に戻る。  
　したがって、以後、ａｊ＝４２３のアルバムコードのアルバムについて、第４図Ａと同様にその各データがリスト形式で表示され、その後、ステップ（４７）においてマウス（１８）による入力待ちとなる。  
　また、ステップ（４７）において、マウス（１８）による人力待ちとなっているとき、マウス（１８）によりマークＭｃのうちの「前」のマークをクリックすると、ステップ（８２）において、「次」のマークのときとは逆に、アルバムコードａｊは、現在のアルバムコードから前のアルバムコードにディクリメントされ、その後、処理はステップ（８２）からステップ（４５）に戻る。  
　したがって、以後、１つ前のアルバムコードａｊのアルバムについて、第４図へと同様にその各データがリスト形式で表示され、その後、ステップ（４７）においてマウス（１８）による人力待ちとなる。」  
　　　　　　　　　　　　　（第７頁左上欄第９行から同頁左下欄第１行）
　  
（タ）  
「さらに、ステップ（４７）においてマウス（１８）による入力待ちとなっているとき、マウス（１８）によりマークＭｃのうちの「再度」のマークをクリックすると、処理はステップ（４７）からステップ（５０）に進み、このステップ（５０）においてクリックされた文字あるいは記号がどれであるかが判別され、今の場合は、「再度」のマークなので、処理はステップ（５０）からステップ（８３）に進む。  
　そして、このステップ（８３）において、ＲＡＭ（３１）の内容がクリアされて表示装置（３４）の表示画面がクリアされ、次に処理はステップ（４３）に戻る。  
　したがって、以後、例えば別の歌手について同様にリスト、動画あるいはジャケットの表示や曲の再生を行うことができる。」  
　　　　　　　　　　　　　　　　　　　（第７頁左下欄第２乃至１５行）
　  
（チ）  
「こうして、この発明によれば、ＣＤ−ＲＯＭ（１７）に例えば歌手名、アルバム名、曲名などのリストを登録しておくとき、その登録した曲名の曲のデジタルオーディオデータＤａを記録しておいたり、登録したＣＤのジャケットの静止画のデジタル画像データＤｓを記録しておいたり、あるいは登録した曲名と、レーザーディスクの対応する動画や音声とを関連させておいたりすることができ、リストを表示したとき、対応する曲をＣＤ−ＲＯＭ（１７）から再生したり、ＣＤのジャケットの静止画を表示したり、あるいは対応する曲の動画及び音声をレーザーディスクから再生できるので、ＣＤ−ＲＯＭ（１７）を単なるテキストのデータベースとしてだけではなく、ＣＤやレーザーディスクを有機的に、かつ、効果的に結合してより高度なデータベースとして使用することができる。」  
　　　　　　　　　　　　　　　　　　　（第７頁右下欄第１乃至１６行）
　  
（ツ）  
「また、デジタルオーディオデータＤａ、デジタル画像データＤｓや、ビデオ信号Ｓｙ及びデジタルオーディオ信号Ｓａは、それぞれ複数のＣＤやレーザーディスクに分割されていてもよく、その場合には、アドレスＳｋ、ＶｋにＣＤやレーザーディスクを識別するコードを含ませればよい。あるいは、データＤａ、Ｄｓは、ハードディスク（１３）に例えばコピーしておき、これを使用することもできる。」  
　　　　　　　　　　　　　　　　　　　（第８頁左上欄第６乃至１４行）
　  
　  
　以上の引用例の記載によれば、引用例には以下の事項が開示されていると認められる。  
　  
（ａ）  
　引用例の上記（キ）の  
「この場合、ＣＤ−ＲＯＭ（１７）は、プレーヤ（１８）及びインターフェイス（１６）を通じて読み出し（再生）が行われるが、このＣＤ−ＲＯＭ（１７）には、リスト情報として、例えば第３図に示すようなデータテーブルＮＡＲＴ、ＡＬＢＭ、ＴＩＴＬ、ＮＡＳＴ、ＡＬＳＴ（詳細は後述する）などが書き込まれているとともに、いくつかの曲のデジタルオーディオデータＤａと、ＣＤのジャケットを静止画として撮像したときのデジタル画像データＤｓとが記録されている。  
　ただし、このデータＤａ及びＤｓとして記録されている曲及びジャケットの数は、ＣＤ−ＲＯＭ（１７）の容量（最大で５４０Ｍバイト）で決まり、ＣＤ−ＲＯＭ（１７）が対象としている音楽データのすべてについて、対応するデータＤａ、ＤＳが記録されているわけではない。」  
 
　引用例の上記（ケ）の
「また、テーブルＮＡＲＴ〜ＡＬＳＴは、例えば、次のようなものである。すなわち、テーブルＮＡＲＴは、歌手（演奏家）の名前Ｎｉと、その歌手ごとに割り当てられた固有の歌手コードｎｉとの歌手名テーブルであり、例えば、歌手「渡辺満里奈」に歌手コードｎｉとして「１２３」が割り当てられている。  
　さらに、テーブルＡＬＢＭは、アルバムの名前（ＣＤの名前）Ａｊと、そのアルバムのＣＤ番号Ｃｊと、そのアルバムの発売日Ｂｊと、そのアルバムごとに割り当てられた固有のアルバムコードａｊとを有するテーブルであり、例えば、アルバム「ＭＡＲＩＮＡ」のＣＤ番号及び発売日が「３２・８Ｈ１０５」及び「１９８７年２月２６日」であり、このアルバムにアルバムコードａｊとして「２３４」が割り当てられている。  
　さらに、テーブルＴＩＴＬは、曲の名前Ｔｋと、その曲ごとに割り当てられた固有の曲コードｔｋとの曲名テーブルであり、例えば、曲「ホリディ・ビジター」に曲コードｔｋとして「３４５６」が割り当てられている。  
　また、テーブルＮＡＳＴは、歌手ごとに用意されている歌手別検索用テーブルであり、その歌手Ｎｉの出しているアルバムＡｊのアルバムコードａｊと、ジャケットアドレスＪｊとのテーブルである。図の例においては、ｎ　ｉ＝１２３である「渡辺満里奈」のテーブルＮＡＳＴ（ｎｉ＝１２３）の場合である。  
　　　　　　　　　　　・・・（中略）・・・
　さらに、テーブルＡＬＳＴは、アルバムごとに用意されているアルバム別検索用テーブルであり、そのアルバムＡｊに収録されている曲Ｔｋの曲名コードｔｋと、デジタルオーディオデータＤａのアドレスＳｋと、ビデオ信号ＳｙのアドレスＶｋとを有するテーブルである。図の例においては、ａｊ＝２３４であるアルバム「ＭＡＲＩＮＡ」のテーブルＡＬＳＴ（ａｊ＝２３４）の場合である。  
　　　　　　　　　　　・・・（中略）・・・  
　なお、以上のテーブルＮＡＲＴ〜ＡＬＳＴ以外にも検索に必要な各種のテーブルがＣＤ−ＲＯＭ（１７）に記録されているが、ここでは説明を省略する。また、これらテーブルＮＡＳＴ〜ＡＬＳＴのデータ量は、レコード会社の１社分を集めてもＣＤ−ＲＯＭ（１７）の全容量の１％程度である。  
　　　　　　　　　　　・・・（後略）・・・　」
　という記載から、
（なお、「以上のテーブルＮＡＲＴ〜ＡＬＳＴ以外にも検索に必要な各種のテーブルがＣＤ−ＲＯＭ（１７）に記録されている」ということから、「テーブルＮＡＲＴ〜ＡＬＳＴ」に格納される情報も、「検索に必要な各種の情報」であることは明らかである。）  
　  
　引用例には、  
「ＣＤアルバムに収録される曲目の一部の曲のデジタルオーディオデータと、前記デジタルオーディオデータに関連するＣＤアルバムのジャケットを静止画として撮像したときのデジタル画像データ、前記デジタルオーディオデータに関連するアルバムの名前、歌手（演奏家）の名前、及び曲の名前とが含まれる検索に必要な各種の情報とを対応付けて記憶する記憶手段」
　が開示されていると認められる。  
　  
　  
（ｂ）  
　上記（ａ）の  
「ＣＤアルバムに収録される曲目の一部の曲のデジタルオーディオデータと、前記デジタルオーディオデータに関連するＣＤアルバムのジャケットを静止画として撮像したときのデジタル画像データ、前記デジタルオーディオデータに関連するアルバムの名前、歌手（演奏家）の名前、及び曲の名前とが含まれる検索に必要な各種の情報とを対応付けて記憶する記憶手段」  
　という開示、  
　  
　引用例の上記（ク）の  
「さらに、（２１）はフルキーボード、（２２）はキーボード用インターフェイス、（２４）はＤ／Ａコンパー夕、（２５）はステレオアンプ、（２６）はスピーカであり、所定のモードのとき、ＣＤ−ＲＯＭ（１９）からのオーディオデータＤａがスイッチ回路（２３）を通じてコンバータ（２４）に供給される。」  
　という記載から、  
　  
　引用例には、  
「前記デジタルオーディオデータを再生する再生手段」  
　が開示されていると認められる。  
　  
　  
（ｃ）　  
　上記（ａ）の  
「ＣＤアルバムに収録される曲目の一部の曲のデジタルオーディオデータと、前記デジタルオーディオデータに関連するＣＤアルバムのジャケットを静止画として撮像したときのデジタル画像データ、前記デジタルオーディオデータに関連するアルバムの名前、歌手（演奏家）の名前、及び曲の名前とが含まれる検索に必要な各種の情報とを対応付けて記憶する記憶手段」
　という開示、  
　  
　上記（ｂ）の  
「前記デジタルオーディオデータを再生する再生手段」  
　という開示、  
　  
　引用例の上記（サ）の  
「したがって、表示装置（３４）には、ステップ（４５）において取り出されたデータにしたがって例えば第４図Ａに示すように、「渡辺満里奈」のアルバム「ＭＡＲＩＮＡ」のＣＤ番号及び発売日と、このアルバムに収録されている曲の曲名が、リスト形式で表示される。  
　また、このとき、ステップ（４５）において取り出されたアドレスＪｊ、Ｓｋ、ＶｋにしたがってインデックスマークＭｉが、同時に表示される。すなわち、Ｊｊ≠０のときには、そのＣＤのジャケットの静止画の画像データＤｓが、ＣＤ−ＲＯＭ（１７）のアドレスＪｊに記録されているので、この記録があることを示すために、同図Ａに示すように、表示画面の一部にインデックスマークＭｉとして「ジャケット」の文字が表示され、Ｊｊ＝０のときには表示されない。  
　さらに、Ｓｋ≠０のときには、対応する曲のデジタルオーディオデータＤａが、ＣＤ−ＲＯＭ（１７）のアドレスＳｋに記録されているので、この記録があることを示すために、同図Ａに示すように、対応する曲の曲名の例えば前に、インデックスマークＭｉとして「音符」マークが表示され、Ｓｋ＝０のときには表示されない。」  
　という記載、  
　  
　引用例の上記（ス）の  
「したがって、第４図Ａに示す表示状態のとき、マークＭｉのうちの「音符」マークをマウス（１８）で指定すると、その「音符」マークの付けられている曲名の曲がＣＤ−ＲＯＭ（１７）から再生される。また、このとき、表示装置（３４）には、同図への画像がそのまま表示されている。」  
　という記載、  
（なお、この処理がＣＰＵ等の制御手段によって行われることは、情報処理分野における技術常識である。）  
　  
　引用例の上記（セ）の  
「したがって、第４図Ａに示す表示状態のとき、マークＭｉのうちの「ジャケット」のマークをマウス（１８）で指定すると、同図Ｃに示すように、そのＣＤのジャケットの静止画が表示される。また、このとき、ＣＤ−ＲＯＭ（１７）あるいはレーザーディスク（３８）の再生が行われていれば、その音声については再生が続行される。」  
　という記載から、  
（なお、この処理がＣＰＵ等の制御手段によって行われることは、情報処理分野における技術常識である。）  
　  
　引用例には、  
「「ジャケット」のマークに対する選択操作に基づいて、ＣＤアルバムのジャケットを静止画として撮像したときのデジタル画像データを露呈させて表示装置に表示させ、「音符」マークに対する操作入力に基づいて、前記露呈されたＣＤアルバムのジャケットを静止画として撮像したときのデジタル画像データに対応するデジタルオーディオデータを前記再生手段に再生させる制御手段」  
　が開示されていると認められる。  
　  
　  
（ｄ）  
　上記（ｃ）の  
「「ジャケット」のマークに対する選択操作に基づいて、ＣＤアルバムのジャケットを静止画として撮像したときのデジタル画像データを露呈させて表示装置に表示させ、「音符」マークに対する操作入力に基づいて、前記露呈されたＣＤアルバムのジャケットを静止画として撮像したときのデジタル画像データに対応するデジタルオーディオデータを前記再生手段に再生させる制御手段」
　という開示、  
　  
　引用例の（ア）の  
「Ａ　産業上の利用分野  
　この発明は画像検索装置に関する。」  
　という記載から、  
　  
　引用例には、「制御機能を有する画像検索装置」が開示されていると認められる。  
　  
　  
　以上の引用例の記載によれば、引用例には下記の発明（以下、「引用例発明」という。）が開示されていると認められる。  
　  
「ＣＤアルバムに収録される曲目の一部の曲のデジタルオーディオデータと、前記デジタルオーディオデータに関連するＣＤアルバムのジャケットを静止画として撮像したときのデジタル画像データ、前記デジタルオーディオデータに関連するアルバムの名前、歌手（演奏家）の名前、及び曲の名前とが含まれる検索に必要な各種の情報とを対応付けて記憶する記憶手段と、
　前記デジタルオーディオデータを再生する再生手段と、  
　「ジャケット」のマークに対する選択操作に基づいて、ＣＤアルバムのジャケットを静止画として撮像したときのデジタル画像データを露呈させて表示装置に表示させ、「音符」マークに対する操作入力に基づいて、前記露呈されたＣＤアルバムのジャケットを静止画として撮像したときのデジタル画像データに対応するデジタルオーディオデータを前記再生手段に再生させる制御手段と  
　を備えることを特徴とする、制御機能を有する画像検索装置。」  
　  
　  
　  
４．対比  
　  
　本願発明と引用例発明とを対比する。  
　  
（１）  
　引用例発明の  
「ＣＤアルバムに収録される曲目の一部の曲のデジタルオーディオデータ」、  
「ＣＤアルバムのジャケットを静止画として撮像したときのデジタル画像データ」、
「アルバムの名前」、
「歌手（演奏家）の名前」、
「曲の名前」、
「検索に必要な各種の情報」、  
「制御機能を有する画像検索装置」は、それぞれ、  
　  
　本願発明の  
「音楽データ」、  
「アルバムジャケットの画像データ」、
「アルバムタイトル情報」、
「アーチスト名情報」、
「曲名情報」、
「付随情報」、  
「制御装置」に相当する。  
　  
　  
（２）  
　引用例発明の  
「ＣＤアルバムに収録される曲目の一部の曲のデジタルオーディオデータと、前記デジタルオーディオデータに関連するＣＤアルバムのジャケットを静止画として撮像したときのデジタル画像データ、前記デジタルオーディオデータに関連するアルバムの名前、歌手（演奏家）の名前、及び曲の名前とが含まれる検索に必要な各種の情報とを対応付けて記憶する記憶手段」は、  
　  
　本願発明の  
「音楽データと、前記音楽データのアルバムジャケットの画像データ、前記音楽データのアルバムタイトル情報、アーチスト名情報、及び曲名情報とが含まれる付随情報とを対応付けて記憶媒体に記録する記録手段」に相当する。
　  
　  
（３）  
　引用例発明の「前記デジタルオーディオデータを再生する再生手段」は、
　
　本願発明の「音楽データを再生する再生手段」に相当する。  
　
　
（４）  
　引用例発明の  
「「ジャケット」のマークに対する選択操作に基づいて、ＣＤアルバムのジャケットを静止画として撮像したときのデジタル画像データを露呈させて表示装置に表示させ、「音符」マークに対する操作入力に基づいて、前記露呈されたＣＤアルバムのジャケットを静止画として撮像したときのデジタル画像データに対応するデジタルオーディオデータを前記再生手段に再生させる制御手段」と、  
　  
　本願発明の  
「複数の前記音楽データにそれぞれ対応する複数のイメージと、前記イメージと対応する少なくとも一部の付随情報と、アルバムタイトル、アーチスト名、及び曲名の項目を備える表示情報とを前記表示手段に表示させ、選択された項目と前記付随情報とに基づいて、複数の前記イメージをソートして前記表示手段に表示させ、前記複数のイメージうち一のイメージに対する選択操作に基づいて、前記一のイメージに対応する画像データを露呈させ、前記露呈された画像データに対する操作入力に基づいて、前記露呈された画像データに対応する音楽データを前記再生手段に再生させる制御手段」とは、 
　 
「選択操作に基づいて、画像データを露呈させ、操作入力に基づいて、前記露呈された画像データに対応する音楽データを前記再生手段に再生させる制御手段」という点で一致し、  
　 
・本願発明の「制御手段」は、具体的には、  
「複数の前記音楽データにそれぞれ対応する複数のイメージと、前記イメージと対応する少なくとも一部の付随情報と・・・を前記表示手段に表示させ、・・・、前記複数のイメージうち一のイメージに対する選択操作に基づいて、前記一のイメージに対応する画像データを露呈させ、前記露呈された画像データに対する操作入力に基づいて、前記露呈された画像データに対応する音楽データを前記再生手段に再生させる」のに対し、  
　引用例発明の「制御手段」は、そのようなことを行っていない点、
　
・本願発明の「制御手段」は、
「・・・、アルバムタイトル、アーチスト名、及び曲名の項目を備える表示情報とを前記表示手段に表示させ、選択された項目と前記付随情報とに基づいて、複数の前記イメージをソートして前記表示手段に表示させ」るのに対し、
　引用例発明の「制御手段」は、そのようなことを行っていない点、
　
　で相違する。  
　  
　  
（５）  
　以上のことから、本願発明と引用例発明とは、  
　  
「音楽データと、前記音楽データのアルバムジャケットの画像データ、前記音楽データのアルバムタイトル情報、アーチスト名情報、及び曲名情報とが含まれる付随情報とを対応付けて記憶媒体に記録する記録手段と、
　音楽データを再生する再生手段と、  
　選択操作に基づいて、画像データを露呈させ、操作入力に基づいて、前記露呈された画像データに対応する音楽データを前記再生手段に再生させる制御手段と  
を備える制御装置。」  
　  
　という点で一致し、  
　  
（相違点１）
　本願発明の「制御手段」は、具体的には、  
「複数の前記音楽データにそれぞれ対応する複数のイメージと、前記イメージと対応する少なくとも一部の付随情報と・・・を前記表示手段に表示させ、・・・、前記複数のイメージうち一のイメージに対する選択操作に基づいて、前記一のイメージに対応する画像データを露呈させ、前記露呈された画像データに対する操作入力に基づいて、前記露呈された画像データに対応する音楽データを前記再生手段に再生させる」のに対し、  
　引用例発明の「制御手段」は、そのようなことを行っていない点、 
　  
（相違点２）
　本願発明の「制御手段」は、
「・・・、アルバムタイトル、アーチスト名、及び曲名の項目を備える表示情報とを前記表示手段に表示させ、選択された項目と前記付随情報とに基づいて、複数の前記イメージをソートして前記表示手段に表示させ」るのに対し、
　引用例発明の「制御手段」は、そのようなことを行っていない点、
　
　で相違する。 　  
　  
　  
　  
５．相違点に対する判断  
　
（１）相違点１について
　
（１−ａ）
　表面の「ジャケット」（本願発明の「イメージ」に対応）、背面の「アルバムタイトル」や「アーチスト名」など（本願発明の「少なくとも一部の付随情報」に対応）が見えるようにしたＣＤケースに格納されたＣＤアルバムが背を向けて棚に並んでいて、その中からジャッケットを確認しながら聴きたいＣＤアルバムを探し出すということは
現実世界
　  
　そして、棚に並んでいる複数の物からひとつを選択して閲覧する点で引用例と共通する、原査定の拒絶の理由に引用文献２として引用された、
神谷　他，３次元ウォークスルーとＣＧ司書を用いた電子図書館インタフェースの開発，情報処理学会研究報告，日本，社団法人情報処理学会，１９９５年１月１３日，第９５巻，第１号，ｐ．２７−２４（９５−ＩＭ−１９−５）には、
（なお、審判請求人（出願人）が、平成２０年８月４日付けの意見書の「７．理由３（２）」及び審判請求書の「（４）拒絶査定の理由３（特許法第２９条第２項）に対して　（３）」において、引用文献２について「ｐ．２７−３４」と正しく認識しているように、「ｐ．２７−２４」は「ｐ．２７−３４」の誤記であることは明らかである。） 
「また、電子図書館が持つ機能としては従来の図書館と同様に情報の検索、閲覧、参照といった機能が必要になる。 
　情報検索については従来の図書館では以下のような２種類の検索機能を提供してきた。 
１．図書カードによる検索　著者名、本のタイトル、分類番号などによる検索。ＯＰＡＣ端末などによる検索を含む。 
２．開架書架による検索　図書館内を実際に歩きまわることによる検索。 
「Ｖｉｒｔｕａｌ　Ｌｉｂｒａｒｙ」システムでは、図書カードによる目的を持った検索ではなく、従来の開架書架による検索による、「情報空間の散策」による「発見的検索」を目的とした仮想的な開架書架を提供する。」 
　　　　　　　　　　　　　　　　　　（第２８頁右欄第２４乃至３８行）
「仮想書架の表示では書架にある本のデータについて背表紙、表紙などの画像データを用意し、テクスチャマッピング表示を行うことでリアルな本、本棚の３次元イメージを生成している。仮想書架表示における書架の例を図７に示す。 
　書架表示モードでは仮想空間内で滑らかに移動しているように表示できることを重視し表示の際のテクスチャ画像として比較的小さい（粗い）画像を用いて部屋全体の表示を行っている。 
　仮想書架表示を行っている画面で表示されている書架をマウスで選択するとクリックした書架の前まで自動的に移動を行う。また書架の選択はＣＧ司書に対して音声で行うことも可能となっている。 
　特定の書架を選択すると詳細な表示を行う詳細書架表示モードに移行する。詳細書架表示モードでは本の表紙などが十分認識できる程度の詳細さで表示することを重視しテクスチャ画像として比較的大きい（詳細な）画像を用いて単一の書架のみを表示し、高解像度での表示と単一の書架の範囲での移動を行う。詳細表示を行っている書架の例を図８（書架の一部拡大）に示す。 
　この詳細表示モードで特定の本をマウスで選択することにより、選択された本のＩＤが制御部に通知される。この通知により制御部は仮想書架部から書誌表示部に表示を切替える。また、書架の本以外の部分を選択することにより、書架表示モードに戻り、再び書架の間を自由に動き回ることが可能である。 
５．２　書誌情報表示部 
　書誌情報表示部は仮想書架部によって選択された本の内容、書誌情報を表示するプログラムである。」
　　　　　　　　　　（第３０頁右欄第１４行から第３１頁左欄第１４行）
　と記載されているように、
　電子データを検索キーなどを入力して検索する代わりに、あたかも画面に
現実世界
　  
　したがって、解り易いユーザ・インターフェイスを提供するために、当該周知技術を適用するべく、  
　棚に並んでいる複数のＣＤケースをそれぞれ複数のイメージで表現することにより、
　「複数の前記音楽データにそれぞれ対応する複数のイメージと、前記イメージと対応する少なくとも一部の付随情報と・・・を前記表示手段に表示させ、・・・、前記複数のイメージうち一のイメージに対する選択操作に基づいて、前記一のイメージに対応する画像データを露呈させ」ることは、当業者が容易に想到し得ることである。
　  
　  
（１−ｂ）  
　また、
現実世界
　ＣＤアルバムのジャケットが、聴きたい音楽に関連付けられていることを当然の前提としている。
　
　しかも、画像に関するオブジェクトに、音に関するオブジェクトを関連づけておき、当該画像に関するオブジェクトに対する操作入力に基づいて、当該音に関するオブジェクトを再生させることによって、関連する情報を容易に取得することは、情報処理分野における周知技術である。  
　  
　したがって、上記（ａ）の「複数の前記音楽データにそれぞれ対応する複数のイメージと、前記イメージと対応する少なくとも一部の付随情報と・・・を前記表示手段に表示させ、・・・、前記複数のイメージうち一のイメージに対する選択操作に基づいて、前記一のイメージに対応する画像データを露呈させ」ることによって提供された「画像データ」に関連する情報、すなわち、音楽データを容易に取得するべく、当該周知技術を適用し、 
　「前記露呈された画像データに対する操作入力に基づいて、前記露呈された画像データに対応する音楽データを前記再生手段に再生させる」ことは、当業者が容易に想到し得ることである。  
　  
　  
（１−ｃ） 
　以上のことから、引用例発明に対して、上記周知技術を適用することによって、引用例発明の「制御手段」を、  
　「複数の前記音楽データにそれぞれ対応する複数のイメージと、前記イメージと対応する少なくとも一部の付随情報と・・・を前記表示手段に表示させ、・・・、前記複数のイメージうち一のイメージに対する選択操作に基づいて、前記一のイメージに対応する画像データを露呈させ、前記露呈された画像データに対する操作入力に基づいて、前記露呈された画像データに対応する音楽データを前記再生手段に再生させる」ように構成することは、当業者が容易に想到し得ることである。  
　
　
（１−ｄ）  
　なお、本願発明では、「アルバムジャケットの画像データ」に対応する「音楽データ」が、アルバムジャケットに対応するアルバムに収録された曲目の全てのデータを前提としているのか否かは特定されていない。
　しかしながら、本願発明の「音楽データ」が、アルバムジャケットに対応するアルバムに収録された曲目の全てのデータを指している可能性があることを考慮して、念のために検討する。
　
　引用例発明の「記憶手段」に記憶される「オーディオ信号を生成するデータ」は、「ＣＤアルバムに収録される曲目の
一部
全て
　
　しかしながら、引用例の上記（ツ）に、
「また、デジタルオーディオデータＤａ、デジタル画像データＤｓや、ビデオ信号Ｓｙ及びデジタルオーディオ信号Ｓａは、それぞれ複数のＣＤやレーザーディスクに分割されていてもよく、その場合には、アドレスＳｋ、ＶｋにＣＤやレーザーディスクを識別するコードを含ませればよい。あるいは、データＤａ、Ｄｓは、ハードディスク（１３）に例えばコピーしておき、これを使用することもできる。」
　と記載されているように、デジタルオーディオデータを、ＣＤ−ＲＯＭより大容量のハードディスクに格納しても良いことが示唆されており、しかも、記憶容量の問題さえなければ、ＣＤアルバムに収録された全ての曲を記憶することよって、任意の曲を聞けるようにしておくことが好ましいことは明らかである。
　
　しかも、ＣＤアルバムを再生する再生装置では、（「再生ボタン」を設けることによって）ＣＤアルバムに収録された曲目を最初から最後まで再生することが可能となっていることは世間常識である。
　
　したがって、引用例発明の「記憶手段」に、ＣＤアルバムに収録される曲目の
全て
　 
　 
（２）相違点２について
　 
　ＣＤケースに格納されたＣＤアルバムを背を向けて棚に並べる場合、「アーチスト名」順や、「アルバムタイトル」順に並べたりする、ということは
現実世界
　
　また、棚に並んでいる複数の物からひとつを選択して閲覧する点で引用例と共通する、原査定の拒絶の理由に引用文献２として引用された、
神谷　他，３次元ウォークスルーとＣＧ司書を用いた電子図書館インタフェースの開発，情報処理学会研究報告，日本，社団法人情報処理学会，１９９５年１月１３日，第９５巻，第１号，ｐ．２７−２４（９５−ＩＭ−１９−５）には、
（なお、上記「（１）相違点１について」で述べたように、「ｐ．２７−２４」は「ｐ．２７−３４」の誤記であることは明らかである。）　
「６　パーソナル書架機能
　電子化されたデータは実際のデータに対するポインタとなる情報だけをもつことにより、データの複製が容易である。ソートなどを自由に行うことができるなどの性質をもつ。
　従来の図書館では利用者が個人の好みにより、図書の配列を変更したり、一部のみを取り出しておくというようなことはできないが、電子化されたデータを対象とした場合にはその配列を変更することができる。」
　　　　　　　　　　　　　　　　　　（第３２頁右欄第２７乃至３６行）
　と記載されているように、
　ソートを自由に行うことによって、利用者が個人の好みにより配列を変更することは、情報処理分野における周知技術である。
　
　そして、当該周知技術のソートをユーザが行えるようにするためには、如何なる項目に基づいてソートを行うのかを選択可能にする表示情報を表示手段に表示するというユーザ・インターフェイス（図書（又はＣＤ）等の著作物の場合、図書名（又はアルバムタイトル）や著者名（又はアーチスト名）等の項目を備える表示情報を表示手段に表示させるユーザ・インターフェイス）を必要とすることも、情報処理分野における周知技術である。
　
　更に、
現実世界
　「アルバムタイトル」順や「アーチスト名」順でソート可能とするだけでなく、（ＣＤアルバムを代表する）「曲名」順でもソート可能とすることが好ましいことは明らかである。
　
　したがって、上記周知技術を適用することによって、ソートを可能とすべく、
　引用例発明の「記憶手段」に記録された「前記音楽データのアルバムジャケットの画像データ、前記音楽データのアルバムタイトル情報、アーチスト名情報、及び曲名情報とが含まれる付随情報」を用いて、
「・・・、アルバムタイトル、アーチスト名、及び曲名の項目を備える表示情報とを前記表示手段に表示させ、選択された項目と前記付随情報とに基づいて、複数の前記イメージをソートして前記表示手段に表示させ」るように構成することは、当業者が容易に想到し得ることである。
　
　
　
６．むすび  
　  
　したがって、本願発明は、引用例発明及び周知技術に基づいて、当業者が容易に発明をすることができたものであり、特許法第２９条第２項の規定により特許を受けることができないから、他の請求項について検討するまでもなく、本願は拒絶されるべきものである。  
　
　よって結論の通り審決する。